(57)【要約】【課題】紙幣一枚ずつの入出金が可能であるばかりでなく、紙幣束を一括して入金することができる還流式紙幣収納装置を提供することを目的としている。【解決手段】上側ローラ７１及び下側ローラ７２と、上側ローラを上下動させることにより下側ローラとの間の距離を変化させる上側ローラ支持部７５と、上下ローラ間の離間距離を規制するストッパ８１を前部に備えた規制アーム８０と、を備え、規制アームは、上昇位置にあるプッシャ５５によって後部を押し上げられることにより前部に設けたストッパを下降させて両ローラ間の離間距離を最小に規制する一方で、プッシャが下降したときに後部が下降することによってストッパを上昇させて両ローラ間の離間距離を最大値に拡大する。【選択図】図３
2008134746.tif 000002
【特許請求の範囲】
【請求項１】
紙幣堆積機構と、該紙幣堆積機構内に紙幣を一枚ずつ、或いは紙幣束として導入したり、前記紙幣堆積機構内の紙幣を一枚ずつ繰出す紙幣入出金機構と、を備えた還流式紙幣収納装置であって、
前記紙幣堆積機構は、上昇した繰出しポジションと下降した受入れポジションとの間を昇降自在に支持されると共に上面に紙幣を積層状態で堆積する堆積部材と、該堆積部材を常時上方に弾性付勢する弾性部材と、前記堆積部材の上方において昇降することにより前記紙幣入出金機構から導入されてきた紙幣、又は紙幣束を前記堆積部材上面に押圧するプッシャと、該プッシャを昇降させるプッシャ昇降機構と、を備え、
前記紙幣入出金機構は、互いにニップしつつ回転する上側ローラ及び下側ローラと、前記上側ローラを上下動させることにより前記下側ローラとの間の距離を変化させる上側ローラ支持部と、固定部によって上下方向に揺動自在に軸支されると共に前記上側ローラ支持部に係合することによって該上側ローラと該下側ローラとの間の離間距離を規制するストッパを前部に備えた規制アームと、前記上側及び下側ローラを駆動するローラ駆動機構と、を備え、
前記規制アームは、上昇位置にある前記プッシャによって後部を押し上げられることにより前部に設けた前記ストッパを下降させて前記上側ローラと下側ローラとの離間距離を最小に規制する一方で、前記プッシャが下降したときに後部が下降することによって前記ストッパを上昇させて前記上側ローラと下側ローラとの間の離間距離を最大値に拡大するように構成されていることを特徴とする還流式紙幣収納装置。
【請求項２】
前記上側ローラはフリクションローラであり、且つ前記下側ローラはリバースローラであり、
前記紙幣堆積機構内へ一枚の紙幣、又は紙幣束を導入する際には前記上側及び下側ローラを共に導入方向に回転させる一方で、紙幣繰出し時には前記上側ローラを繰出し方向へ逆回転させると共に前記下側ローラを導入方向へ回転させて下側の重送紙幣を前記堆積部材側へ戻すように構成されていることを特徴とする請求項１に記載の還流式紙幣収納装置。
【請求項３】
金種の異なる紙幣を複数枚一括して、或いは一枚ずつ受入れ可能な入金取込部と、該入金取込部から受け入れられた紙幣を装置本体内に搬送する搬送経路と、該搬送経路に沿って紙幣を搬送する駆動力を生成する搬送機構と、該搬送経路と接続されて第１の金種に係る第１の紙幣を出入れ自在に収容するスイッチバック還流式の第１の紙幣収納部と、該搬送経路と接続されて第２の金種に係る第２の紙幣を出入れ自在に収容するスイッチバック還流式の第２の紙幣収納部と、該搬送経路を経由して搬送されてきた紙幣を一枚ずつ受け入れて堆積すると共に堆積した紙幣束を一括して該搬送経路に送出する一時保留部と、これらを制御する制御手段と、を備えた還流式紙幣処理装置であって、
前記制御手段は、前記第１の紙幣収納部内の第１の紙幣を一枚ずつ送出して前記一時保留部に所定枚数堆積させた後で、該一時保留部内の第１の紙幣束を前記第２の紙幣収納部内に一括搬送する動作を繰り返すことにより、前記第１の紙幣収納部内に収容された全ての第１の紙幣を前記第２の紙幣収納部に移送し、
前記第２の紙幣収納部は、請求項１、又は２に記載の還流式紙幣収納装置によって構成されていることを特徴とする還流式紙幣処理装置。
【発明の詳細な説明】
【技術分野】
【０００１】
本発明は例えば貨幣を入出金する機能を備えた各種自動販売機、入出金装置、両替機等の貨幣取扱装置に装備される紙幣処理装置の改良に関し、詳細には金種別に紙幣を収容する還流式紙幣収納部を複数備えた還流式紙幣処理装置において、終業時等に全紙幣を一つの紙幣収納部等に回収する作業を迅速化するための技術に関するものであり、特に、この還流式紙幣処理装置に好適な紙幣収納装置に関するものである。
【背景技術】
【０００２】
投入された紙幣を受け入れる入金機能や、釣り銭や払出し金として紙幣を払い出す出金機能を備えた紙幣処理装置は各種自動販売機、入出金装置、両替機等に装備されており、この紙幣処理装置には始業時に準備した紙幣、或いは稼働中に投入された紙幣を金種別に保管するための紙幣収納部が装備されている。
この種の紙幣処理装置において、終業時等に装置本体内に残った全ての紙幣を回収する際に、金種別の紙幣収納部内に夫々収容された紙幣束を機外に個別に取り出すとすれば、全ての紙幣収納部をカセット式に構成して機外に出入れ自在にする必要があるが、このように構成すると紙幣収納部の大型化を招くばかりでなく、回収作業が繁雑化、長時間化する。
【０００３】
上記の如き不具合に対処するために、従来例えば千円紙幣、五千円紙幣、及び一万円紙幣を取り扱う還流式紙幣処理装置において、各紙幣の金種毎に対応する還流式紙幣収納部を備え、且つ、紙幣の補充・回収のための紙幣アクセスを行う機能を千円紙幣収納部に担わせたものがある。
なお、還流式の紙幣収納部とは、始業時に予め収納しておいた紙幣のみならず、装置の稼働中に利用者が投入した紙幣を一旦収納する一方で、この紙幣を釣銭等とするために外部へ繰り出す（排出する）機能を備えたタイプの紙幣収納部を指称する。また、還流式の紙幣収納部にはループ方式とスイッチバック方式がある。ループ方式は紙幣の入口（受入れ方向）と出口（繰り出し方向）を異ならせた方式であり、スイッチバック方式とは同じ出入り口から紙幣の受け入れと繰り出しを行う方式である。
【０００４】
図４は従来のスイッチバック方式の還流式紙幣処理装置の構成を示す。
この紙幣処理装置１０１は、還流式の紙幣処理機構１０２と、この紙幣処理機構を内部に収容する外装体１０３と、から概略構成されている。
紙幣処理機構１０２は、金種の異なる紙幣を複数枚一括して、又は一枚ずつ受入れ可能な入金取込部１０４と、入金取込部１０４から受け入れられた紙幣を装置内に搬送する搬送経路１０５と、搬送経路１０５に沿って紙幣を搬送するための駆動力を生成、伝達するローラ、ベルト、分岐ゲート、モータ、ソレノイド等から成る搬送機構１１０と、入金取込部１０４の直下流側の搬送経路上に配置されて一枚ずつ給送されてくる紙幣の真贋、金種を判定する識別装置１１５と、搬送経路１０５と接続されて第１の金種に係る第１の紙幣（例えば、一万円紙幣）を出入れ自在に収容する還流式の第１の紙幣収納部１２０と、搬送経路１０５と接続されて第２の金種に係る第２の紙幣（例えば、千円紙幣）を出入れ自在に収容する還流式の第２の紙幣収納部１２２と、紙幣を釣銭等として装置外に排出すると共に複数枚の紙幣を堆積させて保留する機能を有した出金保留部１３０と、これらを制御する制御手段１４０と、を備えている。
【０００５】
入金取込部１０４は一括投入された複数枚の紙幣を一枚ずつに分離しながら搬送経路１０５に送り出すための分離給送機構を備えている。
搬送機構１１０は、入金取込部１０４から一枚ずつ給送された紙幣を金種別に第１、又は第２の紙幣収納部１２０、１２２に送り込む仕分け搬送機能と、第１、又は第２の紙幣収納部１２０、１２２から夫々一枚ずつ送り出されてきた紙幣を出金保留部１３０に搬送する機能と、を併有している。搬送機構１１０は図示しないローラ、ベルト、第１及び第２の分岐ゲート１１１、１１２と、これらの可動部品を駆動するためのモータ、ソレノイド等から構成されており、制御手段１４０からの制御によって各ローラ、ベルト、分岐ゲートが駆動されることにより、所定のタイミングにて各搬送機能を実現することができる。
【０００６】
第１の紙幣収納部１２０は、第１の紙幣、例えば一万円紙幣専用であり、搬送経路１０５を経由して一旦受け入れた一万円紙幣を搬送経路１０５に一枚ずつ送出する還流機能を有している。
第２の紙幣収納部１２２は、第２の紙幣、例えば千円紙幣専用であり、搬送経路１０５を経由して一旦受け入れた千円紙幣を搬送経路１０５に一枚ずつ送出する還流機能を有している。第２の紙幣収納部１２２は、機外に引出し可能なカセットタイプになっており、終業時には第１の紙幣収納部１２０に収納された第１の紙幣を順次第２の紙幣収納部１２２に送込んで集積することによって、第２の紙幣収納部１２２を利用して全紙幣を一括して機外に取り出すことができる。
なお、この従来例に係る還流式紙幣処理装置は、可能な限り小型化することを前提とした構成となっているが、分岐ゲート１１１、１１２による方向転換部は小さな曲率のＵ字ターン等の湾曲搬送が困難であるため、分岐ゲートによる方向転換部は大きな曲率の湾曲経路とならざるを得ず、搬送経路１０５の横幅の減縮に限界がある。
【０００７】
この紙幣処理装置を備えた自動販売機の運用が終了した時点で、第１の紙幣収納部１２０に収納されている紙幣を第２の紙幣収納部１２２に一枚ずつ自動的に移送した後、作業員は、第２の紙幣収納部１２２を引き出して売上代金（全ての紙幣）を回収する。
第１の紙幣収納部１２０から紙幣を第２の紙幣収納部１２２に移送、収納する動作としては、例えば、第１の紙幣収納部１２０に収納されている紙幣束から一万円紙幣１枚を分離して搬送経路１０５に繰出し、搬送経路上のＲ点まで移動した後で、逆搬送して分岐ゲート１１２により経路を変えて第２の紙幣収納部１２２に移送する。
なお、始業時には釣銭として使用する千円紙幣を所定枚数だけ第２の紙幣収納部１２２にセットすれば足りるため、作業員による紙幣へのアクセス箇所を一箇所に制限してセキュリティ性を向上させると同時に、作業員の負担を軽減している。
【０００８】
しかしながら、上記従来のスイッチバック還流方式の紙幣処理装置にあっては、第１の紙幣収納部から第２の紙幣収納部１２２に回収作業を行う際に、第１の紙幣収納部から一枚ずつ搬送経路に送り出した各紙幣をＲ点で逆転搬送して移送処理する方式を採らざるをえないために、回収時間が長期化するという問題があった。
回収時間を短縮するための改善策としては図５に示したように第２の紙幣収納部１２２の出入り口に接続した搬送経路分岐点にトリプル分岐ゲート１１４を設けることで、第１の紙幣収納部１２０の収納紙幣を、一枚ずつ連続的に第２の紙幣収納部１２２に移送することができる。
しかしながら、トリプル分岐ゲート１１４を実際に組み込む場合、紙幣の湾曲搬送にはかなり大きな曲率が必要であり、且つ、極めて複雑、且つ大型の搬送機構となるため、還流式紙幣処理装置の大型化、高コスト化が避けられなかった。
【０００９】
特開２００２−２６００５９には、金種別の紙幣収納部と、大容量の補充・回収紙幣収納部と、を備え、終業時には各紙幣収納部内の全紙幣を補充・回収紙幣収納部内に一枚ずつ送り込むことによって、補充・回収紙幣収納部から全紙幣を取り出すことができるようにした紙幣出金機が開示されている。
しかし、この従来例にあっては、各紙幣収納部に収納された多量の紙幣を一枚ずつ補充・回収紙幣収納部に移送する作業が必要となるため、回収作業に長時間を要するという問題がある。また、複数の紙幣収納部とは別個に大型の補充・回収紙幣収納部を装置内に配置する必要があるために、紙幣収納、搬送のための機構が複雑化するばかりでなく、装置が大型化するという欠点があった。また、紙幣の入口と出口を別々に備える金種別紙幣収納部を用いたループ方式の還流式紙幣処理装置であるため、複雑な搬送経路を有した大型の還流式紙幣処理装置となっている。
各種紙幣処理装置に対する小型化の要請が高まる中で、このような大型化をもたらす構成は採用することが困難である。
【特許文献１】特開２００２−２６００５９公報
【発明の開示】
【発明が解決しようとする課題】
【００１０】
以上のようにスイッチバック式の紙幣収納部を複数備えた紙幣処理装置にあっては、終業時に各紙幣収納部内に残留した全紙幣を一つの還流式紙幣収納部に一枚ずつ移送する必要があるため、搬送機構が大型化するという問題と、回収時間の短縮化に限界があるという問題があった。回収時間を短縮化するためにトリプル分岐ゲート等の複雑、大型の搬送機構を付加すると更に大型化、高コスト化するという問題があった。
本発明は上記に鑑みてなされたものであり、金種別に複数の還流式紙幣収納部を備えた紙幣処理装置において、紙幣収納部の他に格別の回収専用カセットを装備することによる装置の大型化、高コスト化を招くことなく、小型化を積極的に図りつつ、終業時等において最短時間で各紙幣収納部から紙幣を一箇所に回収することができる還流式紙幣処理装置、及び還流式紙幣収納装置を提供することを目的としている。
特に、本発明は、一枚ずつの入出金に加えて、紙幣束を一括して入金することができる還流式紙幣収納装置を提供することを目的としている。
【課題を解決するための手段】
【００１１】
上記目的を達成するため、請求項１の発明は、紙幣堆積機構と、該紙幣堆積機構内に紙幣を一枚ずつ、或いは紙幣束として導入したり、前記紙幣堆積機構内の紙幣を一枚ずつ払出す紙幣入出金機構と、を備えた還流式紙幣収納装置であって、前記紙幣堆積機構は、上昇した払出しポジションと下降した受入れポジションとの間を昇降自在に支持されると共に上面に紙幣を積層状態で堆積する堆積部材と、該堆積部材を常時上方に弾性付勢する弾性部材と、前記堆積部材の上方において昇降することにより前記紙幣入出金機構から導入されてきた紙幣、又は紙幣束を前記堆積部材上面に押圧するプッシャと、該プッシャを昇降させるプッシャ昇降機構と、を備え、前記紙幣入出金機構は、互いにニップしつつ回転する上側ローラ及び下側ローラと、前記上側ローラを上下動させることにより前記下側ローラとの間の距離を変化させる上側ローラ支持部と、固定部によって上下方向に揺動自在に軸支されると共に前記上側ローラ支持部に係合することによって該上側ローラと該下側ローラとの間の離間距離を規制するストッパを前部に備えた規制アームと、前記上側及び下側ローラを駆動するローラ駆動機構と、を備え、前記規制アームは、上昇位置にある前記プッシャによって後部を押し上げられることにより前部に設けた前記ストッパを下降させて前記上側ローラと下側ローラとの離間距離を最小に規制する一方で、前記プッシャが下降したときに後部が下降することによって前記ストッパを上昇させて前記上側ローラと下側ローラとの間の離間距離を最大値に拡大するように構成されていることを特徴とする。
【００１２】
紙幣を一枚ずつ入出金するのみならず、紙幣束を入金する必要があるスイッチバック還流式紙幣収納装置にあっては、入出金時に紙幣、或いは紙幣束をニップしつつ搬送するローラ対のニップ部の間隔、ニップ力の設定が難しい。本発明では、上側ローラと下側ローラに対して昇降自在に構成すると共に、ストッパを用いて上側ローラの上昇可能範囲の限界を切り替えるように構成した。つまり、紙幣一枚のみが払い出される出金時にはストッパによって上側ローラの上下方向可動範囲を最小に規制する一方で、紙幣一枚のみならず紙幣束を導入する入金時には上側ローラの上下方向可動範囲を所定枚数の紙幣厚の通過を許容し得る程度に拡大するようストッパを退避させるようにした。また、ストッパを前部に備えた規制アームの上下揺動は、紙幣堆積部材を押し下げたり上昇させる機能を有したプッシャの動作に連動しているため、紙幣堆積部材が受入れポジションに下降している時のみストッパは上昇位置にあって上側ローラの可動範囲を拡大するように作用する。
【００１３】
請求項２の発明は、請求項１において、前記上側ローラはフリクションローラであり、且つ前記下側ローラはリバースローラであり、前記紙幣堆積機構内へ一枚の紙幣、又は紙幣束を導入する際には前記上側及び下側ローラを共に導入方向に回転させる一方で、紙幣繰出し時には前記上側ローラを繰出し方向へ逆回転させると共に前記下側ローラを導入方向へ回転させて下側の重送紙幣を前記堆積部材側へ戻すように構成されていることを特徴とする。
フリクションローラとリバースローラとの協働によって紙幣重送の発生を有効に防止することができる。
【００１４】
請求項３の発明に係る還流式紙幣処理装置は、金種の異なる紙幣を複数枚一括して、或いは一枚ずつ受入れ可能な入金取込部と、該入金取込部から受け入れられた紙幣を装置本体内に搬送する搬送経路と、該搬送経路に沿って紙幣を搬送する駆動力を生成する搬送機構と、該搬送経路と接続されて第１の金種に係る第１の紙幣を出入れ自在に収容するスイッチバック還流式の第１の紙幣収納部と、該搬送経路と接続されて第２の金種に係る第２の紙幣を出入れ自在に収容するスイッチバック還流式の第２の紙幣収納部と、該搬送経路を経由して搬送されてきた紙幣を一枚ずつ受け入れて堆積すると共に堆積した紙幣束を一括して該搬送経路に送出する一時保留部と、これらを制御する制御手段と、を備えた還流式紙幣処理装置であって、前記制御手段は、前記第１の紙幣収納部内の第１の紙幣を一枚ずつ送出して前記一時保留部に所定枚数堆積させた後で、該一時保留部内の第１の紙幣束を前記第２の紙幣収納部内に一括搬送する動作を繰り返すことにより、前記第１の紙幣収納部内に収容された全ての第１の紙幣を前記第２の紙幣収納部に移送し、前記第２の紙幣収納部は、請求項１、又は２に記載の還流式紙幣収納装置によって構成されていることを特徴とする。
金種別に紙幣を収容する還流式の紙幣収納部の一方を回収紙幣収納部として兼用することにより、装置全体形状を小型化することが可能となる。更に、一時保留部を利用した紙幣束単位の回収動作を実施できる構成としたことにより、搬送経路、及び搬送機構をシンプル化、小型化することができるため、装置全体形状を更に小型化することができる。
【発明の効果】
【００１５】
本発明によれば、金種別のスイッチバック還流式紙幣収納部を併設した構成において、一方の紙幣収納部に収納されている紙幣を他方の紙幣収納部に回収するに際し、集積機能だけを有したシンプルな構成の一時保留部を介在させた一括搬送を実施するようにしたので、装置の大型化を招くことなく、移送処理時間を短縮することができる。即ち、還流式紙幣収納部よりも構成が簡素な一時保留部を用い、移送すべき収納紙幣を一時保留部へ１枚ずつ送り込んで所定枚数集積させ、集積した紙幣束をそのまま同じ搬送経路上に繰出して、回収紙幣収納部を兼ねた紙幣収納部に束搬送するようにしたので、紙幣の移送処理にかかる時間を短縮することができる。
スイッチバック還流式紙幣収納装置にあっては、紙幣堆積部材上に堆積した紙幣を外部に一枚ずつ繰出すモードの他に、搬送されてきた一枚の紙幣、または紙幣束を受け入れるモードを有している。このため、入出金用のローラ対はその間隔を入金される紙幣束の厚さに応じて変化させる必要がある。本発明では、紙幣受け入れモードにおいては一枚の紙幣のみの通過が可能となるようにローラ間の間隔を狭く規制する一方で、紙幣束をも受け入れるモードにおいては上側ローラが紙幣圧に応じて上下動し得るように規制を緩和することによって両モードに対する対応が可能となる。しかも、ストッパを利用したモードの切換は紙幣堆積部材上の紙幣を抑えるプッシャの上下動に連動するため、構成を複雑化することなく、小型化を図りながら還流式紙幣収納装置を構築することができる。
【発明を実施するための最良の形態】
【００１６】
以下、本発明を図面に示した実施の形態により詳細に説明する。
図１は本発明の一実施形態に係る紙幣処理装置の概略構成図である。
この紙幣処理装置１は、例えば食券等の自動販売機（券売機）に装備されて紙幣の受け入れ、釣銭等としての紙幣の払い出しの処理を行う機能を有する。
紙幣処理装置１は、還流式の紙幣処理機構２と、この紙幣処理機構２を内部に収容する外装体３と、から概略構成されている。
紙幣処理機構２は、金種の異なる紙幣を複数枚一括して、又は一枚ずつ受入れ可能な入金取込部４と、入金取込部４から受け入れられた紙幣を装置本体内に搬送する搬送経路５と、搬送経路５に沿って紙幣を搬送するための駆動力を生成、伝達するためのモータ、ソレノイド、及びローラ、ベルト、ゲートから成る搬送機構１０と、入金取込部４の直下流側の搬送経路上に配置されて一枚ずつ給送されてくる紙幣の真贋、金種を判定する識別装置１５と、搬送経路５と接続されて第１の金種に係る第１の紙幣を出入れ自在に収容するスイッチバック還流式の第１の紙幣収納部（還流式紙幣収納装置）２０と、搬送経路５と接続されて第２の金種に係る第２の紙幣を出入れ自在に収容するスイッチバック還流式の第２の紙幣収納部（還流式紙幣収納装置）２５と、搬送経路５を経由して搬送されてきた紙幣を一枚ずつ受け入れて堆積すると共に堆積した紙幣束を一括して搬送経路に送出する一時保留部３０と、釣銭としての紙幣を装置外に排出する出金保留部３５と、これらを制御する制御手段（ＣＰＵ）４０と、を備えている。
【００１７】
入金取込部４は一括投入された複数枚の紙幣を一枚ずつに分離しながら搬送経路５に送り出すための分離給送機構を備えている。
搬送機構１０は、入金取込部４から一枚ずつ給送された紙幣を所定のルートにて搬送することにより金種別に第１、又は第２の紙幣収納部（還流式紙幣収納装置）２０、２５に送り込む仕分け搬送機能と、第１、又は第２の紙幣収納部２０、２５から一枚ずつ繰り出されてきた紙幣を一時保留部３０内に順次搬送して堆積させる機能と、一時保留部３０から繰り出されてきた紙幣束を回収用の収納部を兼ねた第２の紙幣収納部２５に一括して送り込む一括搬送機能と、を併有している。制御手段４０からの制御によって各ローラ、ベルト、ゲート１１を切り替え駆動されることにより、所定のタイミングにて上記の各搬送機能を実現することができる。
【００１８】
第１の紙幣収納部２０は、第１の紙幣、例えば一万円紙幣専用であり、搬送経路５を経由して一旦受け入れた一万円紙幣を搬送経路５に一枚ずつ送出する還流機能を有している。
第２の紙幣収納部２５は、釣銭として多用される第２の紙幣、例えば千円紙幣用であり、搬送経路５を経由して一旦受け入れた千円紙幣を搬送経路５に一枚ずつ送出するスイッチバック式の還流機能を有している。
一時保留部３０は、第１、及び第２の紙幣収納部２０、２５から夫々一枚ずつ繰り出されてきた紙幣を一枚ずつ受入れて所定の許容枚数だけ積層させる集積機能と、積層された紙幣束を一括して搬送経路５に繰り出す一括送出機能を有している。
本発明では、例えば第２の紙幣収納部２５をカセット式に着脱自在（出入れ自在を含む）に構成し、第２の紙幣収納部２５と対面する外装体３の壁部に設けた図示しないドアを開放することによって第２の紙幣収納部２５を取出し、収納された紙幣を回収できるように構成されている。
【００１９】
本発明の特徴は、終業時における紙幣回収作業において作業者が所定の回収スイッチを操作することにより、制御手段４０が、第１の紙幣収納部２０内の一万円紙幣を一枚ずつ搬送経路５に送出して搬送機構１０によって高速搬送することにより一時保留部３０に所定枚数（例えば、１５枚）堆積させた後で、一時保留部内の１５枚の一万円紙幣束を第２の紙幣収納部２５内に一括搬送する動作を繰り返すことにより、第１の紙幣収納部２０内に収容された全ての一万円紙幣を第２の紙幣収納部２５に移送するようにした構成にある。一時保留部３０に送り込まれる紙幣の枚数は、搬送経路等の適所に配置した通紙センサによって検知された通過情報にもとづいてカウントされる。
この実施形態では、第２の紙幣収納部２５を回収紙幣収納部として兼用しており、終業時に第２の紙幣収納部２５内に第１及び第２の紙幣を全て回収することにより、一括した回収作業を実施することが可能となる。従って、第２の紙幣収納部２５は装置本体内から着脱可能、或いは出入れ可能なカセットタイプに構成することが好ましい。利用者によって投入される紙幣としては勿論、釣銭として使用される紙幣としても使用頻度の高い千円紙幣を収容する第２の紙幣収納部２５を紙幣回収用の収納部として兼用し、且つ一万円紙幣等の使用頻度の低い紙幣をこの第２の紙幣収納部２５に移送する構成とすることにより、回収時間を短縮することが可能となる。
【００２０】
一時保留部３０は一枚ずつ高速搬送されてくる紙幣を積層状態で集積させると共に、積層した紙幣束を一括して搬送経路に送り出すための構成を有しており、搬送経路に送出された紙幣束は第２の紙幣収納部２５内に一括して送り込まれるため回収効率を大幅に高めることができる。つまり、収納枚数が少ない第１の紙幣収納部内の一万円紙幣を一時保留部３０に積層して収納した後で紙幣束として一括して第２の紙幣収納部内に移送するため、一枚ずつ回収する従来装置に比して回収時間が大幅に短縮することが明かである。しかも、専用の回収紙幣収納部を別設するわけではないから装置の全体サイズを小さくすることができる。
この実施形態に係る紙幣処理装置によれば、金種別のスイッチバック還流式紙幣収納部を併設した構成において、一方の紙幣収納部に収納されている紙幣を他方の紙幣収納部に回収するに際し、一時保留部を介在させた一括搬送を実施するようにしたので、装置の大型化を招くことなく、移送処理時間を短縮することができる。即ち、還流式紙幣収納部よりも構成が簡素な一時保留部を用い、移送すべき収納紙幣を一時保留部へ１枚ずつ送り込んで所定枚数集積させ、集積した紙幣束をそのまま同じ搬送経路上に繰出して、回収紙幣収納部を兼ねた紙幣収納部に束搬送するようにしたので、紙幣の移送処理にかかる時間を短縮することができる。
【００２１】
次に、図２は本発明の一実施形態に係るスイッチバック還流式紙幣収納部（還流式紙幣収納装置）の構成を示す斜視図であり、図３（ａ）及び（ｂ）はこの還流式紙幣収納部の構成及び動作を示す側面図である。以下においては、紙幣回収用に兼用される第２の紙幣収納部２５の構成について説明する。
第２の紙幣収納部２５は、紙幣堆積機構５０と、紙幣堆積機構５０に対して紙幣Ｓを一枚ずつ、或いは紙幣束として導入したり、紙幣堆積機構内の紙幣を一枚ずつ搬送経路５に繰出す紙幣入出金機構７０と、を備えている。これらは制御手段４０によって制御される。
紙幣堆積機構５０は、最上昇した繰出しポジション（図３（ａ））と下降した受入れポジション（図３（ｂ））との間を昇降自在に支持されると共に上面に紙幣を積層状態で堆積する堆積部材５１と、堆積部材５１を常時上方に弾性付勢する図示しない弾性部材と、堆積部材５１の上方において昇降することにより紙幣入出金機構７０から導入されてきた紙幣、又は紙幣束を堆積部材上面に押圧するプッシャ５５と、該プッシャ５５を昇降させるモータ、ギヤ等から成る図示しないプッシャ昇降機構と、を備えている。
【００２２】
紙幣入出金機構７０は、互いにニップしつつ回転する上側ローラ（フリクションローラ）７１及び下側ローラ（リーバースローラ）７２と、上側ローラ７１を回転自在に支持すると共に上下動することにより下側ローラ７２との間の距離を変化させる上側ローラ支持部７５と、堆積部材５１上に堆積された紙幣の最上面に接してこれを一枚ずつ両ローラのニップ部に向けて送り出すためのピックアップローラ７８と、図示しない固定部によって上下方向に揺動自在に軸支されると共に上側ローラ支持部７５に係合することによって上側ローラ７１と下側ローラ７２との間の離間距離（離間可能距離）を規制するストッパ８１を前部に備えると共に導入、繰出し時に紙幣をガイドする紙幣ガイドを兼ねた規制アーム８０と、上側及び下側ローラ７１、７２、及びピックアップローラ７８を駆動する図示しないローラ駆動機構（モータ、ギヤ等）と、を備えている。
上側ローラ７１は紙幣面と接する部分の摩擦抵抗を高めたフリクションローラであり、図示しないモータからの駆動力の切り替えによって正逆回転する。一方、下側ローラ７２は常に紙幣導入方向（図３では時計回り方向）へ回転駆動されるリバースローラであり、紙幣払出時に重送が発生した場合に下側の紙幣を紙幣堆積機構側へ戻す役割を有する。一枚の紙幣、又は紙幣束を導入する時には導入方向へ回転することにより、導入方向に回転する上側ローラをサポートする。
【００２３】
上側ローラ支持部７５は、上側ローラ７１の中心部を貫通して固定された軸７６、ベアリング７６ａ、及び軸受７７を備えており、軸７６は図示しない支持部材によって昇降自在に支持されている。従って、上側ローラ７１は昇降することによって下側ローラ７２と接触（或いは近接）した下降位置から、下側ローラ７２から離間した上昇位置との間を進退することができる。
上側ローラ７１は軸７６の重量を含めた自重、或いは図示しないバネによる下方への付勢によって下側ローラ７２上に接触、或いは近接するように構成されている。そして、上側ローラ７１は、導入時にニップ部を通過する一枚の紙幣、或いは紙幣束、或いは払出時に通過する一枚の紙幣の各厚みの違いに応じて厚み分だけ押し上げられて紙幣、或いは紙幣束の通過をスムーズに許容するように機能する。ストッパ８１が図３（ａ）に示した下降位置にある時には上側ローラ７１の可動範囲は紙幣一枚分に相当する幅に規制されているため、一枚の紙幣だけを搬送経路５へ払い出すことが可能となる。一方、ストッパ８１が図３（ｂ）に示した上昇位置にあるときには上側ローラの可動範囲は所定枚数の紙幣束（例えば、１５枚）の通過を可能とする程度の幅に拡大されているため、通過する紙幣（束）の厚みに応じて上側ローラ７１が上下動することにより一枚の紙幣と紙幣束を共に導入することが可能となる。
【００２４】
ピックアップローラ７８は軸７９によって中心部を支持されており、図示しないモータからの駆動力によって払出方向（図３の時計回り方向）に回転することにより、堆積部材５１上の紙幣束の内の最上部の紙幣を上下ローラ７１、７２のニップ部に送り出す。
制御手段４０は、紙幣堆積機構側へ一枚の紙幣、又は紙幣束を導入する際には上側及び下側ローラ７１、７２を共に導入方向に回転させる一方で、紙幣払い出し時には上側ローラ７１を払出し方向へ逆回転させると共に下側ローラ７２を導入方向へ回転させて下側の重送紙幣を堆積部材５１側へ戻すように制御する。
プッシャ５５は、紙幣の幅方向両端縁だけを押さえることができるように幅方向に離間配置された２本の押え片５６、及び両押え片５６を連結する連結片５７と、から構成されている。図３（ｂ）に示した紙幣導入時には、プッシャ５５は堆積部材５１の上面（堆積部材５１上の紙幣上面）に当接して両押え片５６によってこれを押し下げた状態にあり、両ローラ７１、７２によって新たに導入されてきた紙幣、又は紙幣束Ｓは両押え片５６上に一旦載置された状態となる。この状態で両押え片５６が上昇すると、堆積部材５１が図示しない付勢部材によって上昇する。新たに導入された紙幣は規制アーム８０の下面と堆積部材５１上の収納済み紙幣の上面との間でその中央部が挟まれた状態となる。両押え片５６は紙幣、又は紙幣束の幅方向両端縁を下側から支持しているに過ぎないため、更に両押え片５６が上昇すると、紙幣の幅方向両端部が上側に変形して押え片だけが上昇し、紙幣は堆積部材上に残る。後続の紙幣が導入される場合にはプッシャは再び堆積部材５１上に下降して既堆積紙幣を押さえ込みつつ堆積部材を押し下げて後続の紙幣（束）の受入れを可能とする。
【００２５】
規制アーム８０は、図示しない固定部によって回動軸８２を支持されることによって上下方向に揺動可能に構成されており、前部に一体化されたストッパ８１は上側ローラ７１の軸７６（ベアリング７６ａ）上にオーバーハングするようにして配置されている。規制アーム８０は、プッシャ５５の上昇時には幅方向両端縁から突出した突出部８３によってプッシャ上に乗ることによって図３（ａ）に示した上昇位置（ストッパ下降位置）に押し上げられている一方で、プッシャ５５の下降時にはプッシャが下方へ退避することによって図３（ｂ）に示した下降位置（ストッパ上昇位置）に自重、又は付勢力によって移行する。プッシャ５５の上下動に伴う規制アーム８０の揺動によって、ストッパ８１が上下動して上側ローラの軸７６に対する高さ位置を変化させることにより、上側ローラ７１の高さ位置を下降位置と上昇位置の何れかに規制するように構成されている。
即ち、規制アーム８０は、上昇位置にあるプッシャ５５によって後部８０ａに設けた突出部８３を押し上げられることにより前部に設けたストッパ８１を下降させて上側ローラ７１と下側ローラ７２との離間距離を最小に規制する一方で、プッシャ５５が下降したときに後部が下降することによってストッパ８１を上昇させて上側ローラと下側ローラとの間の離間距離を最大値に拡大するように構成されている。
【００２６】
以上の構成において、紙幣堆積機構５０内に収納された紙幣を一枚ずつ搬送経路５に繰出す場合には図３（ａ）に示したように図示しないプッシャ昇降機構を作動させてプッシャ５５を上昇させることにより堆積部材５１を図示しない弾性部材によって繰出し位置まで上昇させると共に、規制アーム８０の後部をプッシャ５５が押し上げるため規制アーム前部のストッパ８１が下方に回動して上側ローラ７１の軸７６に設けたベアリング７６ａに当接、或いは近接して上側ローラ７１の上下動範囲を紙幣一枚の厚み分（例えば、０．３ｍｍ）に抑制する。この状態では、紙幣（束）Ｓは堆積部材５１の上面とピックアップローラ７８との間で加圧された状態にあり、この状態でピックアップローラ７８を繰出し方向へ回転駆動することにより、紙幣を一枚ずつ上下のローラ７１、７２のニップ部に送り出すことができる。この際、上側ローラ７１はモータからの駆動力によって繰出し方向（時計回り方向）に回転する一方で、下側ローラ７２は戻し方向（時計回り方向）へ回転するため、二枚の紙幣が重送状態で送り出された場合であっても上側の紙幣だけを前方へ払い出し、下側の紙幣については堆積部材５１側へ戻すことができる。
【００２７】
次に、搬送経路５から搬送されてきた紙幣を紙幣堆積機構５０内に導入する場合には図３（ｂ）に示したように図示しないプッシャ昇降機構を作動させてプッシャ５５を下降させることにより堆積部材５１を弾性部材に抗して受入れポジションまで下降させると共に、プッシャ５５が下降することによって規制アーム８０は自重により軸８２を中心として時計回りに揺動し、前部のストッパ８１が上昇して上側ローラの軸７６に設けたベアリング７６ａから所定距離だけ離間する。このため、上側ローラ７１の上下動可能範囲を例えば紙幣１５枚の厚み分にまで拡大する。この状態で、搬送経路５側から一枚の紙幣、又は紙幣束が上下ローラ７１、７２のニップ部に進入してきた場合には、上側ローラ７１はモータからの駆動力によって導入方向（反時計回り方向）に回転すると共に紙幣の厚み応じて上下動する一方で、下側ローラ７２は戻し方向（時計回り方向）へ回転するため、１５枚を超えない枚数の紙幣であればスムーズに堆積部材（押え片５６）上に落下させつつ導入することができる。導入されてきた紙幣は紙幣ガイドを兼ねる規制アーム８０の下面によってガイドされつつ紙幣堆積部材（押え片５６）上に正しく導かれて着座する。
【００２８】
以上のように本発明によれば、紙幣受け入れモードにおいては一枚の紙幣のみの通過が可能となるようにローラ間の間隔を狭く規制する一方で、紙幣束をも受け入れるモードにおいては上側ローラが紙幣厚に応じて上下動し得るように規制を緩和することによって両モードに対する対応が可能となる。しかも、ストッパを利用したモードの切換は紙幣堆積部材上の紙幣を抑えるプッシャの上下動に連動するため、構成を複雑化することなく、小型化を図りながら一枚の紙幣の入出金のみならず、紙幣束の一括導入が可能なスイッチバック還流式紙幣収納装置を構築することができる。
【図面の簡単な説明】
【００２９】
【図１】本発明の一実施形態に係る紙幣処理装置の概略構成図である。
【図２】本発明の一実施形態に係る還流式紙幣収納装置の外観斜視図である。
【図３】（ａ）及び（ｂ）は図２の還流式紙幣収納装置の構成、及び動作を示す説明図である。
【図４】従来のスイッチバック方式の還流式紙幣処理装置の構成を示す説明図である。
【図５】他の従来例の構成説明図である。
【符号の説明】
【００３０】
１…紙幣処理装置、２…紙幣処理機構、３…外装体、４…入金取込部、５…搬送経路、１０…搬送機構、１１…ゲート、１５…識別装置、２０、２５…紙幣収納部（還流式紙幣収納装置）、３０…一時保留部、３５…出金保留部、４０…制御手段、５０…紙幣堆積機構、５１…堆積部材、５５…プッシャ、５６…押え片、５７…連結片、７０…紙幣入出金機構、７１…上側ローラ、７２…下側ローラ、７５…上側ローラ支持部、７６…軸、７６ａ…ベアリング、７７…軸受、７８…ピックアップローラ、７９…軸、８０…規制アーム、８１…ストッパ、８２…回動軸、８３…突出部、Ｓ…紙幣
【図１】
2008134746.tif 000003
【図２】
2008134746.tif 000004
【図３】
2008134746.tif 000005
【図４】
2008134746.tif 000006
【図５】
2008134746.tif 000007